(57)【特許請求の範囲】
【請求項１】
前面が開口した断熱筐体として形成された本体キャビネットと、本体キャビネットの前面にヒンジにより開閉可能に支持された外扉とからなる自動販売機であって、前記外扉には複数の商品見本を左右に並べて載置したディスプレイ台が上下方向に複数段、基準となる段のディスプレイ台に対して他の段のディスプレイ台が上下方向に変位して配設され、かつ、その前面がパネル押え金具により保持された透明パネルで覆われたディスプレイ室を備え、前記透明パネルには前記ディスプレイ台に対峙する位置に商品選択ボタンが取付けられ、前記外扉のヒンジ側に配設されたパネル押え金具には商品選択ボタンの配線を通す複数段の切欠きが形成されてなる自動販売機において、前記切欠きは、基準となる段のディスプレイ台に対峙して取付けられる商品選択ボタンの配線が通される切欠きに対して、基準となる段のディスプレイ台の位置から上下方向に変位して配設される他の段のディスプレイ台に対峙して取付けられる商品選択ボタンの配線が通される切欠きを上下方向に長く延在して形成してなることを特徴とする自動販売機。
【発明の詳細な説明】
【技術分野】
【０００１】
この発明は、缶入り飲料，瓶入り飲料，ペットボトル飲料などの商品を販売する自動販売機に関する。
【背景技術】
【０００２】
缶入り飲料，瓶入り飲料，ペットボトル飲料などの商品を販売する自動販売機は断熱筐体としてなる本体キャビネットの庫内に前記商品をコールド，ホット状態に区分して保存し、外扉のディスプレイ室内に複数の商品見本を左右に並べて展示し、前記商品見本に対応して設けられた商品選択ボタンの操作に基づいて選択された商品を販売するように構成されている。この種の従来の自動販売機について図４を用いて説明する。
【０００３】
図４に示すように、この自動販売機は、前面が開口した断熱筐体として形成された本体キャビネット１と、本体キャビネット１の前面にヒンジにより開閉可能に支持された外扉２とからなる。本体キャビネット１の開口面は開閉可能な断熱内扉３によって閉塞されて商品収納庫を画成している。本体キャビネット１の商品収納庫内は、不図示の断熱仕切壁により左右方向に複数の商品収納室に区分され、各商品収納室には缶入り飲料，瓶入り飲料，ペットボトル入り飲料などの商品を収容するとともにその下端に商品を搬出する商品払出機構を有する商品収納ラックが収設され、また、各商品収納室の下部には、当該各商品収納室を冷却もしくは加熱して商品収納ラックに収納した商品を冷却または加熱する冷却／加熱ユニットが配設されている。
【０００４】
前記外扉２の前面の上部域に開口した窓穴にはアクリル樹脂からなる透明パネル４が取付けられ、この透明パネル４と外扉２に片開き式に軸支されたディスプレイ扉６との間の空間がディスプレイ室５として形成されている。前記ディスプレイ扉６の前面には、本体キャビネット１の商品収納庫内に収容した商品に対応した複数の商品見本８を左右に一列に並べて載置したディスプレイ台７が上下方向に３段取付けられている。前記透明パネル４には各ディスプレイ台７と対峙する位置に商品選択ボタンユニット９が設けられ、当該商品選択ボタンユニット９は、ディスプレイ台７に載置された各商品見本８に対応して左右に一列に並べて設けた商品選択ボタン（不図示）を有している。また、前記外扉２の前面には不図示の硬貨投入口、紙幣挿入口、返却レバー、ロック付ハンドル（外扉ロック装置）、硬貨返却口などに加えて商品取出口２１が設けられている。さらに、前記外扉２の背面には硬貨投入口に連通した硬貨処理装置２２、この硬貨処理装置２２に連通した金庫２３、紙幣挿入口に連通した紙幣識別装置２４などが設けられている。なお、ディスプレイ室５の上部およびディスプレイ台７の下部には商品見本８などを明るく照らす蛍光灯などの照明光源（不図示）が配設されている。また、前記ディスプレイ扉６にはラッチ金具６ａが取付けられ、このラッチ金具６ａを外扉２のラッチピン２ａに係合させることにより前記ディスプレイ扉６は外扉２に係止されるように構成されている。
【０００５】
前記ディスプレイ室５を構成する透明パネル４は、図５および図６に示すように、外扉２に開口した窓穴を背面側から覆うように配設されるとともにパネル押え金具１０により取付けられている。前記パネル押え金具１０は外扉２に開口した窓穴の周囲を取り囲むように上下左右にそれぞれ設けられ（図５および図６では正面視左側のパネル押え金具１０を示す）、かつ、ディスプレイ室５の内周壁を兼ねて白色塗装が施されている。パネル押え金具１０は一端（後端）を外扉２の扉枠２ａにねじ１１で固着され、その他端（前端）と扉枠２ａとの間に透明パネル４を挟持固定し、かつ、透明パネル４の周縁に沿って布設したパッキンＰを押圧して外部からの雨滴の浸入を防止している（例えば、特許文献１参照）。
【０００６】
前記透明パネル４の前面に設けられる商品選択ボタンユニット９は透明パネル４の背面に配設した取付金具９１（図６参照）にねじにより取付けられている。前記取付金具９１は商品選択ボタンユニット９の商品選択ボタン９ａ（図５参照）へのハーネスＷを保持する機能を有しており、透明パネル４の前面から商品選択ボタン９ａへのハーネスＷが見えないようにされている。前記商品選択ボタン９ａのハーネスＷは外扉２に配設した制御ボックスと商品選択ボタン９ａとの間の信号授受を行うものであり、商品選択ボタンユニット９の左端側（外扉２のヒンジ側であり、この例では正面視左端側）より引出され、パネル押え金具１０に設けた切欠き１０ａを介して外扉２に配設した制御ボックスに接続されている。パネル押え金具１０の切欠き１０ａは、図７に示すようにパネル押え金具１０の他端側に開放するように切欠かかれている。
【先行技術文献】
【特許文献】
【０００７】
【特許文献１】特開２００３−４４９１９号公報（図５、図６）
【発明の開示】
【発明が解決しようとする課題】
【０００８】
ところで、ディスプレイ室５に上下方向に複数段設置されるディスプレイ台７の位置は商品サンプルの外形寸法（商品の長さサイズ）に応じて上下方向に変化する。すなわち、図４に示す例では上下３段のディスプレイ台７にそれぞれ長さサイズの異なる商品サンプル８を載置し、３段のディスプレイ台７の間隔が略均等となるように配置されているが、例えば、上下３段のディスプレイ台７間の間隔を均等のままで下段のディスプレイ台７に長さサイズの小さい商品サンプル８のみを載置した場合、当該商品サンプル８の上端と中段のディスプレイ台７の下部との間に大きな隙間が生じて見栄えが悪くなる。このために中段のディスプレイ台７は下方に位置をずらしてレイアウトされる。このように、ディスプレイ台７のレイアウトはディスプレイ台７に載置される商品サンプルの長さサイズに応じて上下方向に変化することから、このディスプレイ台７に沿って透明パネル４の前面に設けられる商品選択ボタンユニット９の取付け位置も必然的に上下方向にずれてしまう。従って、商品選択ボタンユニット９における商品選択ボタン９ａのハーネスＷを通す切欠き１０ａが等間隔に形成されたパネル押え金具１０の場合、商品選択ボタン９ａの位置と切欠き１０ａの位置がずれてしまってハーネスＷをディスプレイ室５内を引き回す、つまり、図５に示したように、中段の商品選択ボタンユニット９と切欠き１０ａの位置がずれている場合にはそのハーネスＷがディスプレイ室５内を引き回すようになり、ハーネスＷがディスプレイ室５内に露出して見栄えを損なう。これを回避するために、ディスプレイ台７（商品選択ボタンユニット９）のレイアウトに応じた切欠き１０ａを有するパネル押え金具１０を複数種類用意することが考えられるが、パネル押え金具１０の種類が増加するのでコストが嵩むという課題を有する。
【０００９】
また、前記ハーネスＷはパネル押え金具１０をねじ１１により固定した後工程で切欠き１０ａを介して引き回すのは困難であることから、パネル押え金具１０を固定する工程において切欠き１０ａを介して引き回れされるが、パネル押え金具１０を固定する工程において切欠き１０ａを通してハーネスＷを引き回す際、切欠き１０ａの開放端部がパネル押え金具１０の他端（前端）における外扉２（扉枠２ａ）で閉塞される側面側に位置していることから狭い作業空間でハーネスＷを切欠き１０ａに通さねばならない。一方、切欠き１０ａの開放端縁部は略直角に形成されていることから、ハーネスＷを切欠き１０ａに通す際にハーネスＷが切欠き１０ａの開放端縁部に引っ掛かってハーネスＷを切欠き１０ａに通す作業が煩雑で時間がかかるという課題を有する。この場合、ハーネスＷを長くしてパネル押え金具１０を所定位置に取付ける以前にハーネスＷを切欠き１０ａに通すこともできるが、ハーネスＷを長くした分だけコストが上昇するとともにハーネスを結束する事後処理が必要となるので得策ではない。
【００１０】
そこで、本発明は上記の点に鑑みなされたものであり、その目的は前記課題を解決し、上下方向に複数段設置される商品選択ボタンのレイアウトにかかわらず商品選択ボタンのハーネスを通す切欠きを備えたパネル押え金具の種類を削減することが可能な自動販売機を提供することにある。
【課題を解決するための手段】
【００１１】
上記目的を達成するために請求項１に係る発明は、前面が開口した断熱筐体として形成された本体キャビネットと、本体キャビネットの前面にヒンジにより開閉可能に支持された外扉とからなる自動販売機であって、前記外扉には複数の商品見本を左右に並べて載置したディスプレイ台が上下方向に複数段、基準となる段のディスプレイ台に対して他の段のディスプレイ台が上下方向に変位して配設され、かつ、その前面がパネル押え金具により保持された透明パネルで覆われたディスプレイ室を備え、前記透明パネルには前記ディスプレイ台に対峙する位置に商品選択ボタンが取付けられ、前記外扉のヒンジ側に配設されたパネル押え金具には商品選択ボタンの配線を通す複数段の切欠きが形成されてなる自動販売機において、前記切欠きは、基準となる段のディスプレイ台に対峙して取付けられる商品選択ボタンの配線が通される切欠きに対して、基準となる段のディスプレイ台の位置から上下方向に変位して配設される他の段のディスプレイ台に対峙して取付けられる商品選択ボタンの配線が通される切欠きを上下方向に長く延在して形成してなることを特徴とする。
【発明の効果】
【００１２】
本発明の請求項１に係る自動販売機によれば、前面が開口した断熱筐体として形成された本体キャビネットと、本体キャビネットの前面にヒンジにより開閉可能に支持された外扉とからなる自動販売機であって、前記外扉には複数の商品見本を左右に並べて載置したディスプレイ台が上下方向に複数段、基準となる段のディスプレイ台に対して他の段のディスプレイ台が上下方向に変位して配設され、かつ、その前面がパネル押え金具により保持された透明パネルで覆われたディスプレイ室を備え、前記透明パネルには前記ディスプレイ台に対峙する位置に商品選択ボタンが取付けられ、前記外扉のヒンジ側に配設されたパネル押え金具には商品選択ボタンの配線を通す複数段の切欠きが形成されてなる自動販売機において、前記切欠きは、基準となる段のディスプレイ台に対峙して取付けられる商品選択ボタンの配線が通される切欠きに対して、基準となる段のディスプレイ台の位置から上下方向に変位して配設される他の段のディスプレイ台に対峙して取付けられる商品選択ボタンの配線が通される切欠きを上下方向に長く延在して形成してなることにより、ディスプレイ台のレイアウトに応じて商品選択ボタンが上下方向に偏倚したとしても当該商品選択ボタンのハーネスをその真横から最短距離でパネル押え金具の切欠きを通して引き回すことができるので、パネル押え金具をディスプレイ台（商品選択ボタン）のレイアウトにかかわらず共通に使用することが可能となる。言い換えると、パネル押え金具の種類を削減することが可能となる。
【図面の簡単な説明】
【００１３】
【図１】本発明の実施の形態である自動販売機の主要部（ディスプレイ室）を示す斜視図である。
【図２】図１のＡ−Ａ断面図である。
【図３】図１若しくは図２に示したパネル押え金具の斜視図である。
【図４】本発明の実施対象に係る自動販売機の全体構成を示す外扉開放状態の斜視図である。
【図５】従来の自動販売機の主要部（ディスプレイ室）を示す斜視図である。
【図６】図５のＢ−Ｂ断面図である。
【図７】図５のパネル押え金具の斜視図である。
【発明を実施するための形態】
【００１４】
以下、本発明における実施の形態である自動販売機を図面に基づいて説明する。
【００１５】
図１は本発明の実施の形態１である自動販売機の主要部分（ディスプレイ室）を拡大して示した斜視図、図２は図１のＡ−Ａ断面図、図３はパネル押え金具の斜視図である。なお、自動販売機の全体構成は図４に示したものと同一であり、図４に示すものと同一のものには同一の符号を付して重複する説明は省略する。
【００１６】
図１において、２で再び断熱筐体として形成された本体キャビネット（図４参照）の前面にヒンジにより開閉可能に支持された外扉、４でアクリル樹脂からなる透明パネル、５で透明パネル４により覆われたディスプレイ室、９で透明パネル４の前面に取付けられた商品選択ボタンユニット、９ａで商品選択ボタンユニット９に設けられた商品選択ボタンを示している。図１に示した実施の形態において従来と異なる点は切欠き１０１〜１０３を備えたパネル押え金具１００の構造であり、その他の構成は従来と同一である。なお、図１においては商品サンプルを載置したディスプレイ台については省略している。
【００１７】
前記パネル押え金具１００の外形形状は従来と同一であり、図２に示すように、パネル押え金具１００は一端（後端）を外扉２の扉枠２ａにねじ１１で固着され、その他端（前端）と扉枠２ａとの間に透明パネル４を挟持固定し、かつ、透明パネル４の周縁に沿って布設したパッキンＰを押圧して外部からの雨滴の浸入を防止している。また、パネル押え金具１００は外扉２に開口した窓穴の周囲を取り囲むように上下左右にそれぞれ設けられ（図１および図２では正面視左側のパネル押え金具１００を示す）、かつ、ディスプレイ室５の内周壁を兼ねて白色塗装が施されているものである。
【００１８】
さて、パネル押え金具１００の切欠き１０１〜１０３は、図３に示すようにパネル押え金具１００の他端（前端）を切欠くことによって形成され、下段の切欠き１０１に対して２段目および３段目の切欠き１０２，１０３は上下方向に長く延在するように形成されている。また、切欠き１０２，１０３の一方の縁辺（図３では下方の縁辺）が斜め下方にカットされてその開放端部が末広がりに広がるように拡開されている。そして、切欠き１０２，１０３の背後には目隠し部材１０２ａ，１０３ａが立設して設けられている。この目隠し部材１０２ａ，１０３ａは切欠き１０２，１０３を形成する際に通常では破材して廃棄されるパネル押え金具１００の一部（当該切欠きサイズに相応した破材）を、図２に示すように切り起こして形成され、切欠き１０２，１０３の開口を通して内部を覗くことができないようにしている。なお、下段の切欠き１０１は下段のディスプレイ台（商品選択ボタン９ａ）を基準としてそのレイアウトが決定され、下段のディスプレイ台（商品選択ボタン９ａ）の位置は一定であってその位置が上下方向に変化することがないことから従来と同様に小さく形成されている。
【００１９】
ここで、上下方向に長く延在するように形成された２段目および３段目の切欠き１０２，１０３の上下方向の長さはディスプレイ台（商品選択ボタン９ａ）のレイアウトによって上下方向にずれることからそのずれに対応する長さに定められている。すなわち、２段目および３段目の切欠き１０２，１０３の上下方向の長さは、ディスプレイ台（商品選択ボタン９ａ）のレイアウトが下段のディスプレイ台（商品選択ボタン９ａ）の位置を基準にレイアウトされ、そのレイアウトによって２段目および３段目のディスプレイ台（商品選択ボタン９ａ）の位置が上下にずれるが、このように２段目および３段目のディスプレイ台（商品選択ボタン９ａ）の位置が上下にずれた際にも、２段目および３段目の商品選択ボタン９ａのハーネスＷがそれぞれの商品選択ボタン９ａ（商品選択ボタンユニット９）の真横から切欠き１０２，１０３に最短距離で引き回すことができるように定められている。
【００２０】
上述した実施の形態１に係る自動販売機の組立（ディスプレイ室回り）について説明する。なお、透明パネル４は予め商品選択ボタンユニット９がその背面に配設した取付金具９１（図２参照）にねじにより取付けられた状態で自動販売機における外扉２の組立ラインに投入される。このように外扉２の組立ラインに投入された透明パネル４は外扉２の前面に開口した窓穴を覆うように外扉２の背面からパネル押え金具１００により取付けられる。前記パネル押え金具１００は外扉２に開口した窓穴の周囲を取り囲むように上下左右にそれぞれ設けられ（図１および図２では外扉２のヒンジ側である正面視左側のパネル押え金具１００を示す）、パネル押え金具１００はその他端（前端）と扉枠２ａとの間に透明パネル４を挟持固定し、かつ、透明パネル４の周縁に沿って布設したパッキンＰを押圧しつつ、その一端（後端）を外扉２の扉枠２ａにねじ１１により固着する。
【００２１】
ここで、前記パネル押え金具１００を取付ける工程において各段の商品選択ボタンユニット９における商品選択ボタン９ａのハーネスＷはパネル押え金具１００の切欠き１０１〜１０３に通される。この作業（特に、切欠き１０２，１０３にハーネスＷを通す作業）は、パネル押え金具１００の他端（前端）を商品選択ボタンユニット９の左端に近接させた状態を維持しつつハーネスＷがパネル押え金具１００を跨ぐようにその前端からその背後に回り込ませ、次いでハーネスＷを切欠き１０２，１０３に通す。この場合、ハーネスＷは切欠き１０２，１０３の一方の縁辺（図３では下方の縁辺）が斜め下方にカットされて末広がりに広がるように拡開された開放端部から、その斜め下方のカット部に沿わせて引き回すことによって切欠き１０２，１０３に通される。したがって、ハーネスＷを切欠き１０１〜１０３にスムーズに通すことができる。つまり、斜め下方を向いたカット部を備えていない従来例（図７参照）においてはハーネスＷを切欠き１０ａに嵌め込むのが困難であるのに対し、斜め下方を向いたカット部を有する実施の形態１のパネル押え金具１００においてはハーネスＷの引き回しが容易となる。なお、下段の商品選択ボタン９ａのハーネスＷはパネル押え金具１００を跨がせることなく切欠き１０１に直接通される。このように切欠き１０１〜１０３に各段の商品選択ボタン９ａのハーネスＷを通したうえでパネル押え金具１００を所定位置に移動させてねじ１１により固定する。
【００２２】
前述したように引き回された商品選択ボタン９ａのハーネスＷは商品選択ボタンユニット９の真横から最短距離で切欠き１０１〜１０３に引き込むことができるのでハーネスＷがディスプレイ室５内に露出する度合いを少なくすることができる。また、パネル押え金具１００のそれぞれの切欠き１０１〜１０３の背後に立設して設けられた目隠し部材１０２ａ，１０３ａにより自動販売機の前面から見ると切欠き１０２，１０３の開口が閉塞されているように見え、前記切欠き１０２，１０３の開口を通して内部を覗くことができないことから切欠き１０１〜１０３により外観を損なうことがない。
【００２３】
前述したとおり本発明によれば、前面が開口した断熱筐体として形成された本体キャビネット１と、本体キャビネット１の前面にヒンジにより開閉可能に支持された外扉２とからなる自動販売機であって、前記外扉２には複数の商品見本８を左右に並べて載置したディスプレイ台７が上下方向に複数段、基準となる段のディスプレイ台（例えば、下段のディスプレイ台）に対して他の段のディスプレイ台（例えば、２段目および３断面のディスプレイ台）が上下方向に変位して配設され、かつ、その前面がパネル押え金具１００により保持された透明パネル４で覆われたディスプレイ室５を備え、前記透明パネル４には前記ディスプレイ台７に対峙する位置に商品選択ボタン９ａが取付けられ、前記外扉２のヒンジ側に配設されたパネル押え金具１００には商品選択ボタン９ａの配線（ハーネスＷ）を通す複数段の切欠き１０１〜１０３が形成されてなる自動販売機において、前記切欠き１０１〜１０３は、基準となる段のディスプレイ台（例えば、下段のディスプレイ台）に対峙して取付けられる商品選択ボタン９ａの配線（ハーネスＷ）が通される切欠き１０１に対して、基準となる段のディスプレイ台（例えば、下段のディスプレイ台）の位置から上下方向に変位して配設される他の段のディスプレイ台（例えば、２段目および３断面のディスプレイ台）に対峙して取付けられる商品選択ボタン９ａ（ハーネスＷ）の配線が通される切欠き１０２，１０３を上下方向に長く延在して形成してなることにより、ディスプレイ台７のレイアウトに応じて上下方向に変位して取付けられる商品選択ボタン９ａのハーネスＷを当該商品選択ボタン９ａの真横から最短距離で切欠き１０２，１０３に引き込むことができるので、パネル押え金具１００をディスプレイ台７（商品選択ボタン９ａ）のレイアウトにかかわらず共通に使用することが可能となり、したがってパネル押え金具１００の種類を削減することができる。
【００２４】
なお、前述した実施の形態１においては商品選択ボタンユニット９を備えたものについて説明したが、これに限るものではない。例えば、商品選択ボタン９ａが直接透明パネル４に装着されるものについても本発明を適用できるものであり、実施の形態１に限定されるものではない。
【符号の説明】
【００２５】
１    本体キャビネット
２    断熱仕切板
４    透明パネル
５    ディスプレイ室
７    ディスプレイ台
８    商品サンプル
９    商品選択ボタンユニット
９ａ    商品選択ボタン
１００    パネル押え金具
１０１、１０２、１０３    切欠き
１０２ａ、１０３ａ    目隠し部材
Ｗ    ハーネス
【図１】
0005545354.tif 000002
【図２】
0005545354.tif 000003
【図３】
0005545354.tif 000004
【図４】
0005545354.tif 000005
【図５】
0005545354.tif 000006
【図６】
0005545354.tif 000007
【図７】
0005545354.tif 000008